(57)【要約】【課題】  作動時騒音が発生しないダイアル錠の掛金機構を提供する。【解決手段】  回り止めを施した状態で内筒２内で軸線方向に摺動可能に案内されたスライダ２２を、スライダに突設されたスライドピン２４と、外筒１４の内端部に形成された螺旋状の駆動溝１９との間の楔作用により準静的に駆動し、スライダ２２の外端に突設された探り部２３をダイアル機構のスリット方向に移動させるようにし、ダイアル機構が解錠されているときに限り外筒１４のデッドブロック２１を回動させる。【選択図】  図１
2006265909.tif 000002
【特許請求の範囲】
【請求項１】
相互に独立に回動できるように、かつ同軸に支承された外リング及び内リングの外周部に、夫々母線に沿う外側および内側スリットをそれぞれ形成し、これら内リングおよび外リングの何れか一方に摘みを同軸に結合して、この摘みの操作により内側および外側スリットを一定の角度位置に揃えるようにしたダイアル機構に連結されるものであって、外端開口部に上記ダイアル機構を収納し、外端部外周面に内筒フランジを形成すると共に、この内筒フランジの内面に複数のガイドシューを突設した内筒と、この内筒と摺動可能に嵌合し、外端開口縁に、内筒フランジより大径の環堤部を一体に設けてこれをデッドリングとした外筒フランジを形成すると共に、この外筒フランジに形成した円弧状の透孔を上記ガイドシューと係合させた外筒と、内筒の内端部に、回り止めを施された状態で摺動可能に案内され、外端に、ダイアル機構のスリットに係入可能な探り部を突設したスライダと、外筒の内端部に形成させた螺旋状の駆動溝と、スライダの外面に突設され、内筒を貫通して駆動溝と摺動可能に係合するスライドピンと、外筒の外周面に突設されたデッドブロックとを備え、郵便箱の蓋板等の取付孔に外筒及び内筒の内端部を外側から挿通させ、内筒のガイドシューを蓋板の内側から外面に呼び付けるようにして固定し、ダイアル機構の施解錠操作後、外筒のデッドリングを所定の方向に回し、探り部をダイアル機構のスリット方向に駆動するようにしたことを特徴とするダイアル錠の掛金機構。
【発明の詳細な説明】
【技術分野】
【０００１】
この発明は、ダイアル錠の掛金機構（以下単に掛金機構という）に係り、特に、ダイアル錠の開閉操作時騒音が発生しない掛金機構に関する。
【背景技術】
【０００２】
ダイアル錠は、周知のように、又は図６、後記特許文献１及び２に記載されているように、例えば郵便箱の蓋板１（図１参照）などに固定される内筒２を有し、この内筒２に相互に独立に回動可能に嵌合する外リング３及び内リング４をダイアル５の摘み６（図１参照）を回して施解錠操作する。
【０００３】
上記外リング３及び内リング４の所定の角度位置に夫々スリット７（図６ｃ参照）が形成されており、施錠時図６ａに示すように任意の角度位置にあるスリット７、７を、上記摘み６を時計方向及び反時計方向に回すことにより、時計盤面に換算して例えば９時の角度位置に揃えると（図６ｂ参照）、このダイアル錠は解錠される。
【０００４】
そして、後記特許文献１及び２に記載されたダイアル錠においては、上記蓋板１を開ける操作により、自由度２を有し、復元方向に付勢されたラッチ５（特許文献１の第４図参照）が所定の角度位置に揃えられたスリット７、７に逃げ込むように係入し、その結果ラッチ５と郵便箱内の係止片２１（特許文献１の第３図参照）との係合が解け、蓋板を開けることができる。
【特許文献１】特公平０９−００６３０７号公報
【特許文献２】特許第３１３９６２９号に係る特許公報
【発明の開示】
【発明が解決しようとする課題】
【０００５】
従来のダイアル錠は、上記した構造から明らかなように、蓋板が開いてラッチと係止片との係合が解けるとき、自由になったラッチは付勢力により急激に復元方向に回動し、ダイアル錠の他の構成部材に激突して大きな衝撃音が発生する。
【０００６】
この衝撃音は、例えばアパートやマンションなどにおいては、郵便箱や上下、左右に積層された他の郵便箱、あるいは玄関ホールなどに共鳴して、夜中には郵便箱を開けるのが気が引ける程の大音響になる、という不都合がある。
【０００７】
本出願人は、先に、上記特許文献１及び２を以て、ラッチの復元時における衝突音を緩衝するダイアル錠の消音装置を提案した。
【０００８】
しかしこれらの消音装置は、ラッチを従来のものと同じにし、ラッチと衝突する部材、或いはラッチの移動時これと摺接する部材に抵抗体を挿設するものであるから、例えば抵抗体の経年変化により消音効果が減少する可能性がある、等未だ改良の余地がある。
【０００９】
そこで、この発明は、作動原理上騒音が発生しない掛金機構を提供し、もって騒音の発生に起因する不都合を解消することを目的にしている。
【課題を解決するための手段】
【００１０】
上記の目的を達成するため、請求項１に記載の発明は、相互に独立に回動できるように、かつ同軸に支承された外リング及び内リングの外周部に、夫々母線に沿う外側および内側スリットをそれぞれ形成し、これら内リングおよび外リングの何れか一方に摘みを同軸に結合して、この摘みの操作により内側および外側スリットを一定の角度位置に揃えるようにしたダイアル機構に連結されるものであって、外端開口部に上記ダイアル機構を収納し、外端部外周面に内筒フランジを形成すると共に、この内筒フランジの内面に複数のガイドシューを突設した内筒と、この内筒と摺動可能に嵌合し、外端開口縁に、内筒フランジより大径の環堤部を一体に設けてこれをデッドリングとした外筒フランジを形成すると共に、この外筒フランジに形成した円弧状の透孔を上記ガイドシューと係合させた外筒と、内筒の内端部に、回り止めを施された状態で摺動可能に案内され、外端に、ダイアル機構のスリットに係入可能な探り部を突設したスライダと、外筒の内端部に形成させた螺旋状の駆動溝と、スライダの外面に突設され、内筒を貫通して駆動溝と摺動可能に係合するスライドピンと、外筒の外周面に突設されたデッドブロックとを備え、郵便箱の蓋板等の取付孔に外筒及び内筒の内端部を外側から挿通させ、内筒のガイドシューを蓋板の内側から外面に呼び付けるようにして固定し、ダイアル機構の施解錠操作後、外筒のデッドリングを所定の方向に回し、探り部をダイアル機構のスリット方向に駆動するようにしたことを特徴とする。
【発明の効果】
【００１１】
上記のように構成された請求項１に記載の発明による掛金機構は、ダイアル機構の施解錠操作後、デッドリングを回してスライダの探り部をスリット方向に駆動し、外筒外周面に突設されたデッドブロックと例えば郵便箱内の係止片との掛け外しを準静的に行うので、作動原理上騒音が全く発生しない、という所期の効果を奏する。
【発明を実施するための最良の形態】
【００１２】
内筒に回り止めを施した状態で内筒軸線方向に摺動可能に案内されたスライダを、スライダに突設されたスライドピンと、外筒内端部に形成された螺旋状の駆動溝との間の楔作用により準静的に駆動し、スライダの外端に突設された探り部をダイアル機構のスリット方向に移動させるようにし、ダイアル機構が解錠されているときに限りデッドブロックを回動させることができるようにしたので、掛金機構内で急激に移動する部材を無くし、ダイアル状の騒音の発生を完全に防止することができた。
【実施例１】
【００１３】
以下、この発明の実施例を図面を参照して説明する。
図１及び図２において符号８はダイアル機構を示し、このダイアル機構８は、ツク９、９を介して相互に係合可能な内、外リング４、３及びダイアル５或いは摘み６などを組合わせたもので、その構造自体は周知であり、また、前記特許文献１及び２に記載されているので、更に詳細な説明は省略する。
【００１４】
また、図１及び図２において符号２は内筒を示し、この内筒２は、外端開口部（図２で右端開口部）にダイアル機構８を装着し、外端部外周面に厚肉の内筒フランジ１１（図２参照）を一体に形成した、両端が開いた筒体である。
【００１５】
上記内筒フランジ１１の内面（図２で左側の面）には、図２及び図３に示すように、背面側から見て（図３参照）例えば円弧状の一対のガイドシュー１２、１２が対称的に突設されている。
【００１６】
また、この内筒２の所定の角度位置（図示の実施例では時計盤面に換算して１２時の角度位置）には、図１及び図２に示すように、その母線に沿って、後述のスライドピンと摺動可能に係合する回り止めスリット１３が形成されている。
【００１７】
一方、図１及び図２において符号１４は外筒を示し、この外筒１４は内筒２と摺動可能に嵌合し、その外端（右端）開口縁に内筒フランジ１１より大径の環堤部付の外筒フランジ１５（図３参照）を一体に形成した筒体である。
【００１８】
ちなみに、内筒２の内端を外筒１４の外端開口に挿入するようにして外筒１４と嵌合させたとき、図２に示すように、内筒フランジ１１は上記環堤部内に沈み込み、外周にローレットを形成した環堤部は施解錠時掛金機構を操作する手がかりであるデッドリング１６となる（図１、図４及び図５参照）。
【００１９】
また、図３に示すように、外筒フランジ１５には一対の円弧状の透孔１７、１７が透設されていて、各透孔１７には対応するガイドシュー１２が遊動可能に係合している。
【００２０】
これらガイドシュー及び透孔１７は、内筒２に対する外筒１４の相対移動角度を一定値に規定するものである。
【００２１】
ちなみに、外筒１４と嵌合する内筒２は、蓋板１に開口した取付孔１８（図１参照）に内端部を挿通させ、図２に示すように、ガイドシュー１２を蓋板１の外面に呼び付ける付番しない取付ねじにより、外筒フランジを間に挟んだ状態で、蓋板外面に固定される。
【００２２】
更にまた、外筒１４の内端部外周面には、図１及び図４に示すように、螺旋状の駆動溝１９が透設されている。図示の実施例では、この駆動溝１９の幅は前記回り止めスリット１３（図１参照）のそれとほぼ同じに設定されている。
【００２３】
また、図１乃至図３に示すように、外筒の外周面で例えば時計盤面に換算して６時の角度位置に、半径方向に突出するデッドブロック２１が一体に形成されている。
【００２４】
このデッドブロック２１は、例えば郵便箱の施錠時郵便箱内の係止片（前記特許文献参照）に内側から係合して蓋板をロックするものである。
【００２５】
他方、内筒２の内端部には、図１及び図２に示すように、短円柱状のスライダ２２が摺動可能に案内されている。
【００２６】
このスライダ２２の外端面の、時計盤面に換算して１２の角度位置には、例えば直方体状で、外方に突出する探り部２３が一体に形成されている。
【００２７】
この探り部２３の幅は、ダイアル機構の内、外リングのスリット７（図６参照）の幅よりやや小さく設定されている。
【００２８】
また、図１、図２及び図４に示すように、スライダ２２の外周面で、背面から見て、また時計盤面に換算して１２時の角度位置にはスライドピン２４が突設されており、このスライドピン２４は、前記内筒の回り止めスリット１３及び駆動溝１９に共通に、かつ摺動可能に係合している。
【００２９】
スライドピン２４が回り止めスリット１３と係合することにより、スライダ２２に回り止めが施されることになる。
【００３０】
なお、デッドリングを回動したときガタが生じず各部の動きがスムーズになるように、スライドピンの外径は回り止めスリット１３及び駆動溝１９の幅と同程度に定めるのが良い。
【００３１】
上記のように構成されたこの発明の一実施例による掛金機構は、デッドリング１６を所定の方向に回すことにより、例えば図４に示す状態ではデッドリングを反時計方向に回すことにより、駆動溝１９とスライドピン２４との間に生じる楔作用によってスライダ２２は外方に、すなわちダイアル機構に近接する方向に移動する。
【００３２】
このときダイアル錠が解錠されていないと、換言すれば図６に示すスリット７、７が時計盤面に換算して共に１２時の角度位置に合致していないと、探り部２３及びこれと一体のスライダ２２が内、外リング４、３の端面に衝止され、デッドリング１６、これと一体の外筒１４及びデッドブロック２１も回動できないので、デッドブロック２１と前記係止片との係合を解くことができない。
【００３３】
一方、ダイアル錠が解錠されているとき、換言すれば図６に示すスリット７、７が時計盤面に換算して共に１２時の角度位置に合致しているときには、探り部２３がスリット７、７に係入できるので、デッドブロック２１が回動でき、したがってダイアル錠を装着した郵便箱の蓋板等を開くことができる。
【００３４】
このとき、ダイアル錠が解錠されている、いないに拘らず、掛金機構中に急激に移動する部材は存在しないので、従来の掛金機構のように騒音が発生しないことは前記したとおりである。
【実施例２】
【００３５】
図示の実施例における内筒の回り止めスリット１３とスライダのスライドピン２４との係合に代えて、スライダ２２の外周面にその母線に沿って回り止め溝を形成し、これに対応して、内筒内面の所定の角度位置に、この回り止め溝と摺動可能に係合する内筒ピンを突設する（図示せず）。
【００３６】
当然、スライドピン２４が挿通するスリット或いは開口を回り止めスリット１３の形成位置に形成する。
【図面の簡単な説明】
【００３７】
【図１】この発明の一実施例による掛金機構を有するダイアル錠の構成部材を展開して示す外観斜視図。
【図２】この発明の一実施例による掛金機構を有するダイアル錠の縦断面図。
【図３】その背面図。
【図４】その平面図。
【図５】その正面図。
【図６】ダイアル錠の作動原理を示す線図。
【符号の説明】
【００３８】
１  蓋板
２  内筒
３  外リング
４  内リング
５  ダイアル
６  摘み
７  スリット
８  ダイアル機構
９  ツク
１１  内筒フランジ
１２  ガイドシュー
１３  回り止めスリット
１４  外筒
１５  外筒フランジ
１６  デッドリング
１７  透孔
１８  取付孔
１９  駆動溝
２１  デッドブロック
２２  スライダ
２３  探り部
２４  スライドピン
【図１】
2006265909.tif 000003
【図２】
2006265909.tif 000004
【図３】
2006265909.tif 000005
【図４】
2006265909.tif 000006
【図５】
2006265909.tif 000007
【図６】
2006265909.tif 000008